(57)【要約】【課題】枠形状の手摺りであって、手摺りの取り付け作業が簡易でかつ確実な仮設用足場用手摺を提供すること。【解決手段】手摺り本体３は、上部両端に設けている可動係止体４と、下部両端のそれぞれに、近接して上下に設けている対の係止体５とよりなり、可動係止体４は、手摺り本体を固定する可動係止体本体４０と、その先端部であって、垂直方向に回動可能に挿通し、かつ下端に有する抜止部４２が可動係止体本体４０に当接するまで上方に持ち上げ可能な回動軸４１の上端を固定した可動係止腕４３とよりなり、対の係止体５は、建枠１に設けている取付部材６に同時に係止後、建枠１の上部に設けている取付部材７の係止孔７０内に、前記可動係止腕４３の先端下端を回動軸４１中心として上方に持ち上げ回動させつつ挿入可能としたことを特徴とする。【選択図】図２
2004300748.tif 000002
【特許請求の範囲】
【請求項１】
建枠間に足場板を渡し順次上方に組み上げ、足場板の側方に設け、作業者の転落を防止するために設ける仮設用足場の手摺りにおいて、
足場板の側部に設ける手摺り本体は、人の転落を防止しうる形状の枠体であって、
上部両端に設けている可動係止体と、
下部両端のそれぞれに、近接して上下に設けている対の係止体とよりなり、
可動係止体は、手摺り本体を固定する可動係止体本体と、可動係止体本体の先端部に、垂直方向に回動可能に挿通し、下端に設けている抜止部が可動係止体本体に当接するまで上方に持ち上げ可能な回動軸の上端を固定した可動係止腕とよりなり、
対の係止体は、建枠に設けている取付部材に同時に係止後、建枠の上部に設けている取付部材の係止孔内に、前記可動係止腕の先端下端を回動軸中心として上方に回動させつつ持ち上げ挿入可能としたことを特徴とする足場用手摺り。
【発明の詳細な説明】
【０００１】
【産業上の利用分野】
本発明は、仮設用足場に使用する仮設用足場用手摺に関するものである。
【０００２】
【従来の技術】
従来より、枠組足場の組み立ては、まず、建枠を並列に建て込み、その後、この建枠間の上端に足場板を架設し、この建枠間に交さ筋かいを取り付け、仮設用足場の強度を高めている。次に、この足場板の上に乗り、一段上の建枠の組み立てに移る。そして、この建枠間の所定位置に上記と同じ方法で繰り返し、複数層の足場を完成させる。
このときに足場組み立て、又は足場解体時、さらに足場を使用し作業を行っているときに、足場板の非作業側に設けている交さ筋かいが一種の転落防止用の手摺り的に機能している。
しかしながら、この交さ筋かいでは交差部近辺が適切な位置となっているが、それ以外では、必ずしもを設け足場の強度を確保した枠組足場を完成するのが一般的であった。
そこで、この交さ筋かいに手摺りを設けた技術（特許文献１他）、建枠間を接続する杆状の手摺りを設ける構成の技術（特許文献２）を始めとして、多種の技術が存在する。そして手摺りの強度高め組み立て作業等のより安全性を得た技術としては、例えば手摺り部分を手摺り枠として形成し、これを建枠に固定する技術が提案されている（特許文献３）。
【０００３】
【特許文献１】
特開２０００−３２８７７４号公報
【特許文献２】
特開２００２−００４５６９号公報
【特許文献３】
特開平０８−０４９４０４号公報
【０００４】
【発明が解決しようとする課題】
しかしながら、従来の特許文献１等この交さ筋かいに手摺りを設けた技術では、交さ筋かいは、足場自体の強度を得るために設計されているもので、手摺りとしては必ずしも十分な強度を得られるものではない。
また、建枠間に単に杆状の手摺りで接続する構成とした場合には、作業者が緊急時に手摺りをつかんだとき、手摺りには下方向に大きな力が加わる。この為、建枠との接続部分に多大な応力が加わる為、結合部分に工夫が必要であり、また複数本の杆状の手摺りを設ける必要があり作業性に課題がある。
さらに特許文献３に示す如く、手摺り部分を手摺り枠として形成し、これを建枠に固定する技術では、作業性が向上する利点を有する。
ところが、枠形状の手摺りとした場合、接続部を片側複数箇所の結合部とすると、建枠或いは枠形状の手摺りが変形したりした場合、結合部をうまく結合できない場合が多い、このため特許文献３では、２対のつかみ金具と１対の係止ピンで固定する構成となっている。
本発明では、枠形状の手摺りであって、手摺りの取り付け作業が簡易でかつ確実な仮設用足場用手摺を提供することにある。
【０００５】
【課題を解決するための手段】
本発明は、建枠１間に足場板２を渡し順次上方に組み上げ、足場板２の側方に設け、作業者の転落を防止するために設ける仮設用足場の手摺りにおいて、足場板２の側部に設けの手摺り本体３は、人の転落を防止しうる形状の枠体であって、上部両端に設けている可動係止体４と、下部両端のそれぞれに、近接して上下に設けている対の係止体５とよりなり、可動係止体４は、手摺り本体を固定する可動係止体本体４０と、可動係止体本体４０の先端部に、垂直方向に回動可能に挿通し、下端に設けている抜止部４２が可動係止体本体４０に当接するまで上方に持ち上げ可能な回動軸４１の上端を固定した可動係止腕４３とよりなり、対の係止体５は、建枠１に設けている取付部材６に同時に係止後、建枠１の上部に設けている取付部材７の係止孔７０内に、前記可動係止腕４３の先端下端を回動軸４１中心として上方に回動させつつ持ち上げ挿入可能としたことを特徴とする。
【０００６】
本発明は上述のように構成し、仮設用足場の手摺りの取り付けは、建枠１間に足場板２を渡し順次上方に組み上げた後、手摺り本体３の下部両端にそれぞれ設けている対の係止体５は、建枠１に設けている取付部材６の係止孔６０内に同時に係止するように作用する。このとき係止体５は、対のほぼ同形状で形成されており、対の係止体５は比較的近接して設けられているため、ほぼ確実にこの２点での係止を行うことが出来る。
一方の建枠１に対し２カ所の係止体５で係止するため、手摺り本体はほぼ安定した状態で保持され、後述する可動係止体４の係止作業が簡易に行うことが出来る。
次に、手摺り本体の上部両端に設けている可動係止体４の可動係止腕４３を抜止部４２を中心として上方に持ち上げつつ回動させ、可動係止腕４３の先端下端を係止孔６０内に挿入する。
この時可動係止体４の可動係止腕４３は抜止部４２により回動可能となっており、上下方向にもゆとりがあるため、多少係止孔７０との位置はずれていても容易に係止孔７０内に挿入することが出来、建枠１或いは足場板２全体が多少変形した状態でも確実に係止を行うことが出来る。
【０００７】
【発明の実施の形態】
本発明に係る足場用手摺りを図面に基づいて詳細に説明する。
図１は、本発明に係る足場用手摺りの説明図，図２は、本発明に係る足場用手摺りの係止状態を示す拡大断面図、図３、４は可動係止体を取付部材の係止する時を示す斜視図、図５は、本発明の可動係止体を取付部材の係止する時を示す斜視説明図である。
本発明にかかる足場用手摺りは、建枠１間に足場板２を渡し順次上方に組み上げ、足場板２の側方に設け、作業者の転落防止を図っている。ここで、手摺り本体３は、建枠１は人の転落防止しうる形状の枠体と、手摺り本体３の脇上部に設けている可動係止体４と、下部両端のそれぞれに、近接して上下に設けている対の係止体５とよりなる。
【０００８】
手摺り本体３は、例えば鉄、アルミ或いはアルミ合金等強度のある金属よりなるパイプ材、柱材等を溶接手段、接続材等、適宜手段で形成した枠状よりなり、手摺り本体３から、作業者が転落防止の為に、適宜間隔で桟体或いは防護ネットを枠状内部に設ける。実施例では、手摺り本体３は、全体的には３本の縦杆３０、と４本の横杆３１を接続材３２で結合している。そして、手摺り本体の両上端の接続材３２の外側方向には固定具取付体３３が設けてあり後述する可動係止体４を固定する。
【０００９】
次に、手摺り本体３に両上端側に固定する可動係止体４について述べる。
可動係止体４は、可動係止体本体４０の基端側に前記固定具取付体３３を挿入可能な筒状として先端に後述する回動軸４１を挿通する挿通孔４４を設けている。回動軸４１は下端には、抜止部４２を設け挿通孔４４内を回動軸４１が上方に移動したとき、回動軸４１が挿通孔４４から抜け出ることを防止するストッパーとして機能する。
また回動軸４１の上端は例えばネジを切っておき、後述する可動係止腕４３の基端側下面に螺入固定し、可動係止腕４３を回動軸４１を中心として回動可能で、かつ可動係止体本体４０に対し上下に移動可能としている。そして、可動係止腕４３を前方側に回動したとき、建枠１に固設している取付部材７の係止孔７０内に係止可能となっている。
なお、挿通孔４４は、可動係止腕４３を係止孔７０内に挿入係止しやすくするため、回動軸４１よりやや大きめの径に形成することが好ましい。
また、図中４５は可動係止体本体４０を固定具取付体３３に固定するための固定用ボルトナットである。
【００１０】
次に、手摺り本体の両下端側に固定する係止体５について述べる。
係止体５は、例えば図５に示すように、手摺り本体の下端の接続材３２の外側方向に固定具取付体３４が設けられ、また前記固定具取付体３４の直上には、接続材３５を介し固定具取付体３６がそれぞれ設けられ、これら固定具取付体３４、３６にそれぞれ係止体５を固設している。そして、建枠１に固設している取付部材６の係止孔６０に、係止可能となっている。
なお、前記可動係止体４、係止体５、取付部材６及び取付部材７は、例えば前記足場板２と同様にアルミ合金等強度のある金属より製作する。
【００１１】
本発明は上述のように構成し、仮設用足場の手摺り取り付けは、建枠１間に足場板２を渡し順次上方に組み上げた後、対の係止体５は、建枠１に設けている取付部材６の係止孔６０に同時に係止する。このとき係止体５は、対のほぼ同形状で形成されており、係止体５は、建枠１の上部に設けている取付部材６に確実に係止する事が出来る。即ち、建枠１或いは足場板２全体が使用を繰り返して多少変形しても、対の係止体５は比較的近接して設けられているため、ほぼ確実にこの２点での係止を行うことが出来る。
そして、一方の建枠１に対し２カ所の係止体５で係止するため、手摺り本体３の両端を両脇に位置する建枠１に係止を行うと、この係止で手摺り本体はほぼ安定した状態で保持される。
【００１２】
次に、足場板２の上部両端に設けている可動係止体４の可動係止腕４３を回動軸４１を中心として上方に持ち上げつつ回動させ、可動係止腕４３の先端下端を係止孔７０内に挿入する。
この時、可動係止体４の可動係止腕４３は、回動軸４１が係止孔７０内を余裕を持って回動可能となっており、上下方向及び前後、左右方向にもゆとりが生じるため、係止孔７０との位置が多少ずれていても容易に係止孔７０内に挿入することが出来、建枠１或いは足場板２全体が多少変形した状態でも確実に係止を行うことが出来る。
【００１３】
【発明の効果】
本発明の足場用手摺りは、簡易な２種類の係止部の構成とすることで、簡易に取り付け作業が行える。特に、下方側の係止体の係止で一応安定した状態の足場用手摺りとなることより、その後の可動係止体の係止が作業を安全にかつ確実に行え、作業効率を大幅に向上させることが出来る。さらに本発明は簡易な構成であり、安価に製作できると優れた効果を有する。
【図面の簡単な説明】
【図１】本発明に係る足場用手摺りの説明図。
【図２】本発明に係る足場用手摺りの係止状態を示す拡大断面図。
【図３】本発明の可動係止体４を取付部材７の係止する時を示す斜視説明図。
【図４】本発明の可動係止体を取付部材の係止する時を示す斜視説明図。
【図５】本発明の係止体を取付部材の係止する時を示す斜視説明図。
【符号の説明】
１    建枠
２    足場板
３    手摺り本体
３０  縦杆
３１  横杆
３２  接続材
３３  固定具取付体
３４  固定具取付体
３５  接続材
３６  固定具取付体
４    可動係止体
４０  可動係止体本体
４１  回動軸
４２  抜止部
４３  可動係止腕
４４  挿通孔
４５  固定用ボルトナット
５    係止体
６    取付部材
６０  係止孔
７    取付部材
７０  係止孔
【図１】
2004300748.tif 000003
【図２】
2004300748.tif 000004
【図３】
2004300748.tif 000005
【図４】
2004300748.tif 000006
【図５】
2004300748.tif 000007